(57)【要約】【課題】画面表示の再開後に操作ページを切り替える手間を軽減することができる監視制御装置を提供する。【解決手段】制御部１０は、表示再開手段１４による画面表示の再開時に表示器２の画面上に最初に表示させる操作ページを決定するためのページ決定手段１５としての機能を具備している。ページ情報記憶部１９には、１日を朝（６時００分〜８時５９分）、昼（９時００分〜１７時５９分）、夜（１８時００分〜５時５９分）の３つの時間帯に区分し、時間帯ごとに予め指定された操作ページが指定ページとして記憶されている。そして、表示器２の画面表示の再開時には、ページ決定手段１５は現在時刻を示す時刻情報を時計部１８から取得し、当該現在時刻の属する時間帯に対応した指定ページを最初に表示させる。【選択図】図１
2010273124.tif 000002
【特許請求の範囲】
【請求項１】
通信によって負荷の監視制御を行う遠隔監視制御システムに用いられる監視制御装置であって、それぞれ負荷に対応付けられている複数の操作釦を画面上に表示可能な表示器と、表示器の画面に重ねて配置されるタッチスイッチを含みユーザにより操作される操作入力部と、表示器に表示される操作釦をユーザがタッチ操作することで当該操作釦に対応する負荷が制御されるように、表示器の表示制御および操作入力部の操作に応じた負荷制御を行う制御部と、現在時刻を計時する時計部と、データを記憶する記憶部とを備え、制御部は、それぞれ異なる組み合わせの複数個の操作釦を含む複数の操作ページの中から択一的に選択された操作ページを表示器に表示させる表示制御手段と、ユーザの操作に応じて表示器に表示させる操作ページを切り替えるページ切替手段と、所定時間に亘り操作入力部の操作が検出されなければ表示器の画面表示をオフする表示中断手段と、表示中断手段により画面表示をオフしている間に操作入力部の操作が再開されると表示器の画面表示を再開する表示再開手段と、表示再開手段による画面表示の再開時に表示器に最初に表示させる操作ページを決定するページ決定手段とを有し、記憶部には、時間帯ごとに予め指定された操作ページが時間帯と対応付けて記憶され、ページ決定手段は、画面表示の再開時に、記憶部に記憶されている操作ページのうち時計部の示す現在時刻が属する時間帯に対応する操作ページを最初に表示させることを特徴とする監視制御装置。
【請求項２】
前記時間帯は、１日の中で決められていることを特徴とする請求項１記載の監視制御装置。
【請求項３】
前記時間帯は、１週間を周期として１日ごとに決められていることを特徴とする請求項１または請求項２に記載の監視制御装置。
【発明の詳細な説明】
【技術分野】
【０００１】
本発明は、通信によって負荷の監視制御を行う遠隔監視制御システムに用いられる監視制御装置に関するものである。
【背景技術】
【０００２】
従来から、負荷の遠隔監視制御を行うために通信線を通してスイッチのオンオフ情報を含む伝送信号を伝送し、負荷の電源を入切するリレーを伝送信号によって開閉させる技術が知られている。
【０００３】
この種の遠隔監視制御システムとしては、たとえばスイッチを有する操作端末器と負荷への電源を入切するリレーを有する制御端末器とを端末装置として備え、伝送ユニットをセンタ装置として備えた集中制御型のものがある。操作端末器および制御端末器はそれぞれ複数台ずつ設けられていてもよい。伝送ユニットと操作端末器と制御端末器とは２線式の通信線に接続されており、操作端末器および制御端末器に個別に設定されている端末アドレスを用いて伝送ユニットが操作端末器および制御端末器を各別に認識する。
【０００４】
伝送ユニットは、操作端末器と制御端末器とをアドレスによって対応付けたデータテーブルである制御テーブルを格納したメモリを備えている。この伝送ユニットは、いずれかの操作端末器におけるスイッチのオンオフ情報が伝送信号（時分割多重伝送信号を用いている）を用いて通知されると、制御テーブルによって当該操作端末器に対応付けられている制御端末器に対して伝送信号を用いてリレーを開閉する指示を伝送する。この指示を受けた制御端末器においてリレーが開閉される。そのため、スイッチのオンオフに応じて負荷が制御されることになる。
【０００５】
ところで、上述した遠隔監視制御システムにおいて、１箇所で多数の負荷の監視および制御を可能にするものとして、通信線に接続して用いられる監視制御装置が提案されている（たとえば特許文献１参照）。
【０００６】
特許文献１に記載の監視制御装置は、液晶表示器よりなる表示器と、表示器の画面に重ねて配置された透明なタッチスイッチと、表示器の表示制御およびタッチスイッチの操作に応じた負荷制御を行う制御部とを備え、タッチスイッチのうち表示器の画面上に表示される操作釦により規定された領域をそれぞれスイッチとする。つまり、ユーザにおいては表示器の画面上の操作釦にタッチすることで、当該操作釦に対応する負荷を制御することができる。さらに、制御対象となる各負荷の動作状態は表示器に表示される。この構成において、表示器の画面上のどの操作釦をどの負荷に対応付けるかは、操作釦ごとに割り当てるアドレスによって決定する。
【０００７】
この種の監視制御装置については、タッチスイッチが所定時間以上に亘って操作されない場合に表示器の画面表示を自動的にオフし、タッチスイッチの操作の再開時に画面表示を再開させる機能を付加することにより、無駄な電力消費を抑え、且つ表示器の寿命を延ばすことが考えられている。
【０００８】
ここにおいて、上記構成の監視制御装置を用いた場合、負荷の台数が多くなると表示器の１画面上に表示される操作釦の個数も多くなるため、各操作釦の表示サイズが小さくなり、操作釦同士の間隔も狭くなることで操作釦の誤操作が生じやすくなる。そこで、それぞれ異なる組み合わせの複数個の操作釦を含む複数の操作ページの中から択一的に選択された操作ページを表示器に表示させ、ユーザの操作に応じて表示器に表示させる操作ページを切替可能とすることが考えられる。これにより、表示器の１画面当たりの操作釦の表示数を比較的少なくしながらも、画面の表示内容を切り替えることで多数の負荷に対応する操作釦を表示させることができる。
【先行技術文献】
【特許文献】
【０００９】
【特許文献１】特開平１０−２４３４７８号公報
【発明の概要】
【発明が解決しようとする課題】
【００１０】
しかしながら、操作ページを切替可能な構成において、上述のように表示器の画面表示を自動的にオフする機能を付加した場合、画面表示の再開後に最初に表示される操作ページが固定的に決まっていると、以下のような問題がある。
【００１１】
すなわち、頻繁に操作される操作釦が固定的に決まっていることは少なく、頻繁に操作される操作釦はユーザの行動パターンに応じて変化する。たとえばオフィスでは、朝晩の出退勤の時間帯には主に照明器具の操作が行われ、日中の時間帯は主に空調設備（エアコン）の操作が行われるため、時間帯ごとに頻繁に操作される操作釦が変化する。そのため、常時、固定的に決められた操作ページから画面表示が再開すると、ユーザにおいては、画面表示の再開後に所望の操作釦が含まれる操作ページに切り替える操作が必要になり、結果的に操作性が悪くなる。
【００１２】
本発明は上記事由に鑑みて為されたものであって、画面表示の再開後に操作ページを切り替える手間を軽減することができる監視制御装置を提供することを目的とする。
【課題を解決するための手段】
【００１３】
請求項１の発明は、通信によって負荷の監視制御を行う遠隔監視制御システムに用いられる監視制御装置であって、それぞれ負荷に対応付けられている複数の操作釦を画面上に表示可能な表示器と、表示器の画面に重ねて配置されるタッチスイッチを含みユーザにより操作される操作入力部と、表示器に表示される操作釦をユーザがタッチ操作することで当該操作釦に対応する負荷が制御されるように、表示器の表示制御および操作入力部の操作に応じた負荷制御を行う制御部と、現在時刻を計時する時計部と、データを記憶する記憶部とを備え、制御部が、それぞれ異なる組み合わせの複数個の操作釦を含む複数の操作ページの中から択一的に選択された操作ページを表示器に表示させる表示制御手段と、ユーザの操作に応じて表示器に表示させる操作ページを切り替えるページ切替手段と、所定時間に亘り操作入力部の操作が検出されなければ表示器の画面表示をオフする表示中断手段と、表示中断手段により画面表示をオフしている間に操作入力部の操作が再開されると表示器の画面表示を再開する表示再開手段と、表示再開手段による画面表示の再開時に表示器に最初に表示させる操作ページを決定するページ決定手段とを有し、記憶部には、時間帯ごとに予め指定された操作ページが時間帯と対応付けて記憶され、ページ決定手段が、画面表示の再開時に、記憶部に記憶されている操作ページのうち時計部の示す現在時刻が属する時間帯に対応する操作ページを最初に表示させることを特徴とする。
【００１４】
この構成によれば、ページ決定手段が、画面表示の再開時に、記憶部に記憶されている操作ページのうち現在時刻が属する時間帯に対応する操作ページを最初に表示させるので、時間帯ごとに予め指定された操作ページから表示器の画面表示を再開させることができる。すなわち、ユーザの行動パターンに基づいて、時間帯ごとに操作頻度の高い操作ページを指定しておけば、画面表示の再開時には、当該再開時点の属する時間帯において操作頻度の高い操作ページから画面表示を再開することができる。したがって、画面表示の再開後に操作ページを切り替える手間を軽減することができ、操作性がよくなるという利点がある。
【００１５】
請求項２の発明は、請求項１の発明において、前記時間帯が、１日の中で決められていることを特徴とする。
【００１６】
この構成によれば、１日の中で決められている時間帯ごとに異なる操作ページを指定することができるため、たとえば朝、昼、夜などの１日の中での時間帯に依存するユーザの行動パターンに基づいて、時間帯ごとに最適な操作ページから画面表示を再開できるという利点がある。
【００１７】
請求項３の発明は、請求項１または請求項２の発明において、前記時間帯が、１週間を周期として１日ごとに決められていることを特徴とする。
【００１８】
この構成によれば、１週間を周期として決められている時間帯ごとに異なる操作ページを指定することができるため、たとえば曜日に依存するユーザの行動パターンに基づいて、各日ごとに最適な操作ページから画面表示を再開できるという利点がある。
【発明の効果】
【００１９】
本発明は、時間帯ごとに予め指定された操作ページから表示器の画面表示を再開させることができるので、ユーザの行動パターンに基づいて、時間帯ごとに操作頻度の高い操作ページを指定しておけば、画面表示の再開時には、当該再開時点の属する時間帯において操作頻度の高い操作ページから画面表示を再開することができる。したがって、画面表示の再開後に操作ページを切り替える手間を軽減できるという利点がある。
【図面の簡単な説明】
【００２０】
【図１】本発明の実施形態１の構成を示す概略ブロック図である。
【図２】同上を用いた遠隔監視制御システムの構成を示す図である。
【図３】同上に用いる通信コマンドのフォーマットの説明図である。
【図４】同上の外観を示す概略正面図である。
【図５】同上の表示器の表示例を示す説明図である。
【図６】同上に用いる制御端末器の概略ブロック図である。
【図７】同上の表示器の表示例を示す説明図である。
【図８】同上の動作を示すフローチャートである。
【図９】同上の動作例を示すシーケンス図である。
【図１０】本発明の実施形態２の動作を示すフローチャートである。
【発明を実施するための形態】
【００２１】
以下の実施形態において説明する監視制御装置は、たとえば図２に示す遠隔監視制御システムに用いられるものである。
【００２２】
図２の例では、本発明に係る１台の監視制御装置１に接続された通信線Ｌｓに対し、複数の制御端末器Ｔ１１〜Ｔ１４，Ｔ２１〜Ｔ２４，Ｔ３１〜Ｔ３４（以下、各々を特に区別しないときは単に「制御端末器Ｔ」という）がバス接続されている。なお、監視制御装置１と複数の制御端末器Ｔとの間は有線接続に限らず、たとえば無線ＬＡＮなどの無線通信技術を用いた通信経路が形成されていてもよい。
【００２３】
各制御端末器Ｔ１１〜Ｔ１４，Ｔ２１〜Ｔ２４，Ｔ３１〜Ｔ３４には、それぞれ照明器具や空調設備（エアコン）等の負荷Ｌ１１〜Ｌ１４，Ｌ２１〜Ｌ２４，Ｌ３１〜Ｌ３４（以下、各々を特に区別しないときは単に「負荷Ｌ」という）が電源線Ｌｐを介して接続される。各制御端末器Ｔにはそれぞれ負荷Ｌへの電源出力を制御する手段（後述の電源制御回路）が設けられており、当該手段にて負荷Ｌの電源を制御（たとえばオンオフ）することにより、負荷Ｌの動作状態を制御する。制御端末器Ｔおよび監視制御装置１は、それぞれ商用電源（ＡＣ１００Ｖ）の供給を受けて内部電源を確保する。
【００２４】
ここでは一例として、負荷Ｌ１１〜Ｌ１４と負荷Ｌ２１〜Ｌ２４と負荷Ｌ３１〜Ｌ３４とは、フロア単位や部屋単位で区画化された３つの設置エリアＡ１，Ａ２，Ａ３に分かれて設置されているものとする。なお、遠隔監視制御システムを構成する負荷Ｌは全て同一の種別であってもよいし、異なる種別の負荷が混在していてもよい。さらに、負荷Ｌと制御端末器Ｔとを一体化した構成であってもよい。
【００２５】
ここにおいて、監視制御装置１は後述する負荷制御用のスイッチとしての機能を有しており、各スイッチと制御端末器Ｔとはアドレスにより対応付けられている。つまり、各制御端末器Ｔには個別にアドレスが設定されており、監視制御装置１の各スイッチには各制御端末器Ｔのアドレスが対応付けられることで、実際に操作されたスイッチに対応する負荷Ｌを制御することができる。スイッチと制御端末器Ｔとの対応関係を示す制御テーブルは監視制御装置１に設けられる。
【００２６】
以下に、上述の遠隔監視制御システムの動作について簡単に説明する。
【００２７】
監視制御装置１において、いずれかのスイッチが操作されると、監視制御装置１は当該スイッチに対応する制御端末器Ｔのアドレスを指定して負荷制御要求を通信線Ｌｓ上に送出する。監視制御装置１と制御端末器Ｔとの間の通信には、図３に示すように、自己のアドレス（負荷制御要求コマンドの場合、監視制御装置１のアドレス）Ｆ１と、送信先のアドレスＦ２と、負荷制御要求および後述の負荷制御応答の別を表すコマンド種別Ｆ３と、監視制御の内容（オン・オフ等）を表すパラメータＦ４と、伝送エラーを検出するためのフレームチェックシーケンス（ＦＣＳ）Ｆ５とを含む通信コマンドが用いられる。
【００２８】
監視制御装置１から負荷制御要求を受け取った制御端末器Ｔは、指定された制御内容に基づいて負荷Ｌの動作状態を制御する。さらに、制御端末器Ｔは、負荷Ｌの制御が完了すると、制御後の負荷Ｌの動作状態を確認するための負荷制御応答を、図３のフォーマットにて監視制御装置１に返送する。監視制御装置１は、受け取った負荷制御応答に基づいて、負荷Ｌの動作状態を表示する。
【００２９】
このような動作によって、監視制御装置１の操作を負荷Ｌの制御に反映させることができる。
【００３０】
（実施形態１）
本実施形態の監視制御装置１は、図４に示すように、液晶表示器にバックライトを一体化した表示器２と、表示器２の画面（前面）に重ねて配置された透明な板状のタッチスイッチ３とを器体４の前面に備えている。表示器２は、液晶表示器に限るものではなく、たとえば電子ペーパや有機ＥＬディスプレイ等でもよい。
【００３１】
表示器２には多数の画素を縦横にマトリクス状に配列したマトリクス表示型のものを用い、画素の組み合わせによって図形や文字をカラー表示するようになっている。タッチスイッチ３は、透明なシート状部材に透明電極からなる接点部を多数個配列し、シート状部材に指などが触れた際にどの部位に触れたのかを出力する抵抗感圧方式のタッチスイッチであり、表示器２と共にタッチパネルディスプレイを構成する。なお、タッチスイッチ３は、抵抗感圧方式に限らず、たとえば静電容量方式、光学式のものであってもよい。
【００３２】
当該タッチパネルディスプレイは、ユーザからの操作入力を受け付けるためのものであって、タッチスイッチ３のうち表示器２の画面に表示される操作釦により規定された領域をそれぞれ負荷制御用のスイッチとする。つまり、ユーザにおいては表示器２の画面上の操作釦にタッチすることで、当該操作釦に対応する負荷Ｌを制御することができる。
【００３３】
この監視制御装置１は、図１に示すように、電源線Ｌｐ接続用の電源端子部５に接続され内部回路に直流電源を供給する電源回路６と、通信線Ｌｓ接続用の通信端子部７に接続され通信コマンドを授受する通信回路８と、表示器２の表示制御およびタッチスイッチ３の操作入力に応じた負荷制御等を行う制御部１０とを備えている。制御部１０はマイコンを主構成とし、制御情報記憶部１６および通信情報記憶部１７に書き込まれているプログラムおよびデータに従って動作する。制御情報記憶部１６にはスイッチ（操作釦）と制御端末器Ｔのアドレスとの対応関係を示す制御テーブル等の負荷制御に必要な情報が記憶され、通信情報記憶部１７には通信に必要な自己（監視制御装置１）のアドレス等が記憶される。また、制御部１０に対して現在時刻を示す時刻情報を出力する時計部１８と、後述するページ情報記憶部１９とが設けられている。通信回路８としては、たとえばＲＳ−４８５などのシリアル伝送回路やイーサネット（登録商標）用伝送回路等を適用可能である。
【００３４】
さらに、監視制御装置１は、タッチスイッチ３と共にユーザの操作を受け付けるための操作入力部を構成する起動スイッチ９と、電源のオンオフを示すＬＥＤ２０と、タッチスイッチ３が操作されたときに操作音を発するブザー２１と、メモリカード等の外部記憶媒体を装着可能なソケット２２とを備えている。起動スイッチ９は、器体４の前面における表示器２の下方に配置された機械スイッチからなり、タッチパネルディスプレイを起動して表示器２に画面表示を開始させるためのものである。外部記憶媒体は負荷制御に関する設定などに用いられる。なお、監視制御装置１における制御部１０や通信回路８等を表示器２や操作入力部等のユーザインタフェースから分離し、別体の親機として設けるようにしてもよい。
【００３５】
ここに、制御部１０は、スイッチ（操作釦）の操作に応じて通信コマンド（負荷制御要求）を通信線Ｌｓ上に送出する操作モードと、スイッチ毎のアドレスの割り当てや各種設定を行う設定モードとの２つの動作モードを切り替え可能に構成されている。これら動作モードの切り替えは、たとえば起動スイッチ９の長押しなどの所定の操作によって行われるものとする。
【００３６】
操作モードにおいては、制御部１０は、通信回路８で取得される通信コマンド（負荷制御応答）に基づき負荷状態（負荷Ｌの動作状態）を表示器２に表示し、且つ当該表示内容に関連付けられているタッチスイッチ３の操作に応じた負荷制御を行う。つまり、表示器２は、監視制御対象となる各負荷の現在の動作状態を表示する状態表示部として兼用され、ユーザにおいては、当該表示に応じてタッチスイッチ３を操作することで負荷を制御可能となる。
【００３７】
具体的に説明すると、制御部１０は図５に示すように表示器２の画面上に複数の操作釦Ｂ１１〜Ｂ１４，Ｂ２１〜Ｂ２４，Ｂ３１〜Ｂ３４（以下、各々を特に区別しないときは単に「操作釦Ｂ」という）を含む操作画面を表示し、タッチスイッチ３のうち表示器２の画面上の各操作釦Ｂと重なる領域をそれぞれスイッチとする。ユーザは、タッチスイッチ３の各スイッチ（各操作釦Ｂに対応する部分）に触れることで負荷制御のための操作入力を与えることができる。しかして、ユーザにおいては、任意の操作釦Ｂをタッチ操作することで、当該操作釦Ｂに対応する負荷Ｌを制御することができる。
【００３８】
なお、監視制御装置１と共に遠隔監視制御システムを構築する制御端末器Ｔは、図６に示すように電源線Ｌｐ接続用の電源端子部２５に接続され内部回路に直流電源を供給する電源回路２６と、通信線Ｌｓ接続用の通信端子部２７に接続され通信コマンドを授受する通信回路２８と、マイコンを主構成とする制御部３０とを備えている。制御部３０は、制御情報記憶部３１および通信情報記憶部３２に書き込まれているプログラムおよびデータに従って動作し、負荷端子部３３から負荷Ｌに出力される電源をオンオフする電源制御回路３４により、負荷Ｌの動作状態を制御する。
【００３９】
ところで、監視制御装置１は多数の負荷Ｌ１１〜Ｌ１４，Ｌ２１〜Ｌ２４，Ｌ３１〜Ｌ３４を監視制御の対象としているため、仮に、全ての負荷Ｌ１１〜Ｌ１４，Ｌ２１〜Ｌ２４，Ｌ３１〜Ｌ３４に対応する操作釦Ｂ１１〜Ｂ１４，Ｂ２１〜Ｂ２４，Ｂ３１〜Ｂ３４を表示器２の１画面上に表示すると、各操作釦Ｂの表示サイズが小さくなって負荷状態の表示が見にくくなったり、各操作釦Ｂの面積が小さくなってタッチ操作しにくくなったりする可能性がある。
【００４０】
そこで、本実施形態では表示器２の１画面当たりの操作釦Ｂの表示数を比較的少なくするため、制御部１０に、複数個の操作釦Ｂを分けて表示器２に表示させる表示制御手段１１、並びに表示器２に表示される操作釦Ｂを切り替えるページ切替手段１２としての機能を有している。ここに、表示制御手段１１は、図５に示すようにそれぞれ異なる組み合わせの複数個の操作釦Ｂを含む複数の操作ページＰ１〜Ｐ３の中から択一的に選択された操作ページＰ１〜Ｐ３を表示器２に表示させ、ページ切替手段１２は、ユーザの操作に応じて表示器２に表示させる操作ページＰ１〜Ｐ３を切り替える。
【００４１】
ここでは、それぞれ４つの操作釦Ｂを表示可能な操作ページＰ１〜Ｐ３を採用し、各操作ページＰ１〜Ｐ３の上方に表示されるタブ状のページ切替釦Ｄ１〜Ｄ３を択一的に選択することで、いずれかの操作ページＰ１〜Ｐ３が表示されるものとする。
【００４２】
各操作ページＰ１〜Ｐ３は、それぞれ同じ設置エリアＡ１〜Ａ３内の負荷Ｌに対応した操作釦Ｂの組み合わせを含んでおり、たとえば図５（ａ）のようにページ切替釦Ｄ１が選択されている状態（ハイライト表示されている状態）では設置エリアＡ１内の負荷Ｌ１１〜Ｌ１４に対応した操作釦Ｂ１１〜Ｂ１４を含む操作ページＰ１が表示される。この状態でページ切替釦Ｄ２が選択されると、表示器２の画面表示が更新され、図５（ｂ）のように設置エリアＡ２内の負荷Ｌ２１〜Ｌ２４に対応した操作釦Ｂ２１〜Ｂ２４を含む操作ページＰ２が表示される。同様に、ページ切替釦Ｄ３が選択されると図５（ｃ）のように操作釦Ｂ３１〜Ｂ３４を含む操作ページＰ３が表示される。各操作ページＰ１〜Ｐ３においては、それぞれ操作釦Ｂが画面上の縦方向（図５の上下方向）に２個ずつ、横方向（図５の左右方向）に２列で計４個表示される。ここで、監視制御装置１の電源投入時には初期画面として操作釦Ｂ１１〜Ｂ１４を含む操作ページＰ１が表示されるものとする。
【００４３】
なお、複数の操作釦Ｂはその属性によって各操作ページＰ１〜Ｐ３に振り分けられていればよく、上述のように対応する負荷Ｌの設置エリアＡ１〜Ａ３が同一の操作釦Ｂを同一の操作ページＰ１〜Ｐ３に振り分けるものに限らず、たとえば対応する負荷Ｌの種別（たとえば照明器具、空調設備の別）が同一の操作釦Ｂを同一の操作ページＰ１〜Ｐ３に振り分けるようにしてもよい。
【００４４】
また、各操作釦Ｂは、それぞれ対応する負荷Ｌの動作状態の表示に兼用されている。たとえば負荷Ｌ２１〜Ｌ２４の全てがオフ状態にあれば図５（ｂ）のように操作釦Ｂ２１〜Ｂ２４はその周縁が点線で表示されるのに対し、負荷Ｌ２１がオンすれば当該負荷Ｌ２１に対応する操作釦Ｂ２１は図７のように周縁が実線で表示される。このとき、負荷Ｌのオンオフ状態に応じて操作釦Ｂの表示色も変化するものとする（たとえば、オフ時：緑色、オン時：赤色）。
【００４５】
ところで、本実施形態の監視制御装置１は、操作入力部であるタッチスイッチ３および起動スイッチ９が所定時間以上操作されなければ表示器２の画面表示をオフする表示中断手段１３の機能を制御部１０に有する。さらに、画面表示をオフしているときに起動スイッチ９の操作が操作されると表示器２の画面表示を再開させる表示再開手段１４としての機能を制御部１０に有している。
【００４６】
すなわち、表示中断手段１３は、操作入力部での操作が所定のオートオフ時間以上検出されなければ、表示器２のバックライトを消灯させるとともに、表示器２の画面表示をオフ（つまり、液晶表示器への出力を停止）する。一方、表示再開手段１４は、表示器２をオフとした状態で操作入力部にて所定の操作（ここでは起動スイッチ９の押下とする）を検出すると、バックライトを点灯し表示器２の画面表示を再開させる。これにより、操作入力部が長時間操作されない場合には、バックライトおよび液晶表示器をオフにして、表示器２の寿命を延ばすとともに低消費電力化を図ることができる。なお、前記オートオフ時間は設定モードにおいて設定されるものとする。
【００４７】
ここで、制御部１０は、図１に示すように、表示再開手段１４による画面表示の再開時に表示器２の画面上に最初に表示させる操作ページＰ１〜Ｐ３を決定するためのページ決定手段１５としての機能を具備している。さらに、ページ情報記憶部１９には、時間帯ごとに予め指定された操作ページＰ１〜Ｐ３を指定ページとして時間帯と対応付けてなるスケジュールテーブルが記憶されている。ページ決定手段１５は、画面表示の再開時に、スケジュールテーブルを参照して当該再開時点の属する時間帯に対応した指定ページを最初に表示させる。そのため、時間帯によって操作頻度の高い操作ページＰ１〜Ｐ３が異なる場合でも、時間帯ごとに操作頻度の高い操作ページＰ１〜Ｐ３を個別に選択して指定ページとすることにより、いずれの時間帯においても操作頻度の高い操作ページＰ１〜Ｐ３から画面表示を再開させることができる。ここに、スケジュールテーブルにおける時間帯ごとの指定ページは、設定モードにおいてユーザの操作により任意に指定されるものとする。
【００４８】
具体的には、１日（２４時間）を時刻によって朝（６時００分〜８時５９分）、昼（９時００分〜１７時５９分）、夜（１８時００分〜５時５９分）の３つの時間帯に区分し、各時間帯（朝、昼、夜）ごとに指定ページが指定されたスケジュールテーブルがページ情報記憶部１９に記憶される。ここでは一例として、朝の時間帯は設置エリアＡ１内の負荷Ｌ１１〜Ｌ１４が頻繁に操作され、昼の時間帯は設置エリアＡ２内の負荷Ｌ２１〜Ｌ２４が頻繁に操作され、夜の時間帯は設置エリアＡ３内の負荷Ｌ３１〜Ｌ３４が頻繁に操作されるものと仮定する。そこで、朝の時間帯は操作釦Ｂ１１〜Ｂ１４を含む操作ページＰ１、昼の時間帯は操作釦Ｂ２１〜Ｂ２４を含む操作ページＰ２、夜の時間帯は操作釦Ｂ３１〜Ｂ３４を含む操作ページＰ３をそれぞれ指定ページとする。
【００４９】
この場合において、図８に示すように、画面表示がオフの状態で起動スイッチ９が押下されると（Ｓ１：Ｙｅｓ）、制御部１０は時計部１８から現在時刻を示す時刻情報を取得し、当該現在時刻が朝（６時００分〜８時５９分）、昼（９時００分〜１７時５９分）、夜（１８時００分〜５時５９分）のいずれの時間帯に属するかを判断する（Ｓ２）。このとき、現在時刻が朝の時間帯に属する場合、画面表示の再開時には図５（ａ）に示す操作ページＰ１を最初に表示する（Ｓ３）。一方、現在時刻が昼の時間帯に属する場合、図５（ｂ）に示す操作ページＰ２を最初に表示し（Ｓ４）、現在時刻が夜の時間帯に属する場合には図５（ｃ）に示す操作ページＰ３を最初に表示する（Ｓ５）。
【００５０】
次に、本実施形態の監視制御装置１の動作について図９のシーケンス図を参照して説明する。ここでは、設置エリアＡ２内の負荷Ｌ２１〜Ｌ２４が頻繁に操作される昼の時間帯において、負荷Ｌ２１をオフするための動作を例示する。
【００５１】
タッチスイッチ３、起動スイッチ９のいずれも操作されることなくオートオフ時間が経過すると、制御部１０は、表示器２の画面表示をオフする（Ｓ１１）。その後、起動スイッチ９が押下されると（Ｓ１２）、制御部１０は現在時刻の属する時間帯（９時００分〜１７時５９分）に対応した指定ページである操作ページＰ２をページ情報記憶部１９から読み出す（Ｓ１３）。そして、当該操作ページＰ２を表示する状態（図７の画面）から表示器２の画面表示を再開する（Ｓ１４）。
【００５２】
操作ページＰ２が表示されている状態で、負荷Ｌ２１に対応する操作釦Ｂ２１がタッチ操作されると（Ｓ１５）、監視制御装置１から制御端末器Ｔ２１に対して負荷制御要求が送信される（Ｓ１６）。負荷制御要求を受けた制御端末器Ｔ２１は、受信した通信コマンド（負荷制御要求）を解析し、負荷制御要求であることを認識した時点で、その制御内容に従って負荷Ｌ２１をオンするように自身の電源制御回路３４を制御する（Ｓ１７）。その後、制御端末器Ｔ２１は監視制御装置１に対して負荷Ｌ２１がオン状態であることを示す負荷制御応答を返送する（Ｓ１８）。
【００５３】
負荷制御応答を受けた監視制御装置１は、受信した通信コマンド（負荷制御応答）を解析し、負荷制御応答であることを認識した時点で、その制御内容に従って負荷Ｌ２１に対応する操作釦Ｂ２１の表示状態を変更し図７のような画面を表示する（Ｓ１９）。この表示により、負荷Ｌ２１の動作状態の変化をユーザに知らせることができる。
【００５４】
このように、ユーザにおいては、画面表示の再開後に負荷Ｌ２１をオフするため操作ページＰ１〜Ｐ３を切り替える操作をすることなく、操作釦Ｂ２１を操作することで、負荷Ｌ２１をオフするための一連の処理（Ｓ１６〜Ｓ１９）を監視制御装置１に実行させることができる。
【００５５】
以上説明した構成の監視制御装置１によれば、各負荷Ｌに対応する操作釦Ｂを複数の操作ページＰ１〜Ｐ３に分けて表示して１画面に表示される操作釦Ｂの個数を少なく抑えながらも、画面表示の再開時には、各時間帯ごとに予め指定された操作ページＰ１〜Ｐ３を最初に表示させることができる。したがって、ユーザの行動パターンが時間帯に依存しているような場合で、時間帯ごとに操作頻度の高い操作ページＰ１〜Ｐ３が異なる場合でも、時間帯ごとに操作頻度の高い操作ページＰ１〜Ｐ３を指定ページに指定しておけば、画面表示の再開後に操作ページＰ１〜Ｐ３を切り替える手間を省くことができる。すなわち、画面表示の再開後に、操作頻度の高い操作釦Ｂを操作するために操作ページＰ１〜Ｐ３を切り替える操作が不要となり、すぐに操作釦Ｂを操作可能となるから操作性が向上する。
【００５６】
なお、本実施形態ではスケジュールテーブルにおける時間帯として朝、昼、夜の区分を例示したが、時間帯は１日（２４時間）の中で決められていればよく、具体的に時間帯をどのようなルールに従って区分するかは上述の例に限るものではない。また、ここでは同一内容のスケジュールテーブルが１日周期で繰り返し使用されるものとするが、スケジュールテーブルの内容が日毎に変更されるようにしてもよい。
【００５７】
（実施形態２）
本実施形態の監視制御装置１は、スケジュールテーブルにおける時間帯が１週間を周期として１日単位で決められている点が実施形態１の監視制御装置１と相違する。
【００５８】
具体的には、１週間を曜日によって平日（月曜日〜金曜日）、土曜日、日曜日の３つの期間に区分し、各々の期間（平日、土曜日、日曜日）をスケジュールテーブルにおける時間帯とする。ここでは一例として、平日は設置エリアＡ１内の負荷Ｌ１１〜Ｌ１４が頻繁に操作され、土曜日は設置エリアＡ２内の負荷Ｌ２１〜Ｌ２４が頻繁に操作され、日曜日は設置エリアＡ３内の負荷Ｌ３１〜Ｌ３４が頻繁に操作されるものと仮定する。そこで、平日は操作釦Ｂ１１〜Ｂ１４を含む操作ページＰ１、土曜日は操作釦Ｂ２１〜Ｂ２４を含む操作ページＰ２、日曜日は操作釦Ｂ３１〜Ｂ３４を含む操作ページＰ３をそれぞれ指定ページとする。ここに、制御部１０は、時計部１８から時刻情報だけでなく、当日の曜日を示す曜日情報も取得可能とする。
【００５９】
この場合において、図１０に示すように、画面表示がオフの状態で起動スイッチ９が押下されると（Ｓ２１：Ｙｅｓ）、制御部１０は時計部１８から当日の曜日を示す曜日情報を取得し、当日が平日（月曜日〜金曜日）、土曜日、日曜日のいずれの時間帯に属するかを判断する（Ｓ２２）。このとき、当日が平日に属する場合、画面表示の再開時には図５（ａ）に示す操作ページＰ１を最初に表示する（Ｓ２３）。一方、当日が土曜日である場合、図５（ｂ）に示す操作ページＰ２を最初に表示し（Ｓ２４）、当日が日曜日である場合には図５（ｃ）に示す操作ページＰ３を最初に表示する（Ｓ２５）。
【００６０】
以上説明した構成によれば、画面表示の再開時に表示器２に最初に表示させる操作ページＰ１〜Ｐ３を、曜日によって区分された時間帯ごとに予め指定することができる。したがって、ユーザの行動パターンが曜日に依存しているような場合で、曜日ごとに操作頻度の高い操作ページＰ１〜Ｐ３が異なる場合でも、時間帯ごとに操作頻度の高い操作ページＰ１〜Ｐ３を指定ページに指定しておけば、画面表示の再開後に操作ページＰ１〜Ｐ３を切り替える手間を省くことができる。
【００６１】
なお、本実施形態ではスケジュールテーブルにおける時間帯として平日、土曜日、日曜日の区分を例示したが、時間帯は１週間を周期として１日単位で決められていればよく、具体的に時間帯をどのようなルールに従って区分するかは上述の例に限るものではない。たとえば、各曜日について実施形態１と同様に１日を複数の時間帯に区分してスケジュールテーブルを設定し、当該スケジュールテーブルを１週間周期で繰り返し使用するようにしてもよい。その他の構成および機能は実施形態１と同様である。
【００６２】
ところで、本発明に係る監視制御装置１は、上述したように監視制御装置１と制御端末器Ｔとの間で直接通信を行う遠隔監視システムに限らず、たとえば背景技術の欄で説明したように伝送ユニットをセンタ装置として備えた遠隔監視制御システムに用いることも可能である。この場合、監視制御装置１のスイッチとして機能する操作釦Ｂごとに個別のアドレスが割り当てられ、伝送ユニットに格納されている制御テーブルによって操作釦Ｂのアドレスと制御端末器Ｔのアドレスとが対応付けられることになる。なお、監視制御装置１においては操作釦Ｂごとに個別の負荷番号が割り振られ、監視制御装置１に固有のアドレスの後に当該負荷番号を付加したものが各操作釦Ｂのアドレスとして用いられる。
【００６３】
また、スケジュールテーブルの時間帯は、実施形態１で説明したように１日内で決められているものや実施形態２で説明したように１週間周期で決められるものに限らず、たとえば１年（１２ヶ月）を周期として季節ごとに決めることなども考えられる。
【符号の説明】
【００６４】
１  監視制御装置
２  表示器
３  タッチスイッチ
９  起動スイッチ
１０  制御部
１１  表示制御手段
１２  ページ切替手段
１３  表示中断手段
１４  表示再開手段
１５  ページ決定手段
１８  時計部
１９  ページ情報記憶部
Ｂ１１〜Ｂ１４，Ｂ２１〜Ｂ２４，Ｂ３１〜Ｂ３４  操作釦
Ｄ１〜Ｄ３  ページ切替釦
Ｌ１１〜Ｌ１４，Ｌ２１〜Ｌ２４，Ｌ３１〜Ｌ３４  負荷
Ｐ１〜Ｐ３  操作ページ
【図１】
2010273124.tif 000003
【図２】
2010273124.tif 000004
【図３】
2010273124.tif 000005
【図４】
2010273124.tif 000006
【図５】
2010273124.tif 000007
【図６】
2010273124.tif 000008
【図７】
2010273124.tif 000009
【図８】
2010273124.tif 000010
【図９】
2010273124.tif 000011
【図１０】
2010273124.tif 000012